(57)【特許請求の範囲】
【請求項１】
複数のソースを含むオーディオ装置において、
ソース切替えの優先度を記憶する記憶部と、
デジタル放送を受信する受信手段と、
該受信手段により受信し、聴取中のチャンネルに関する付加情報を抽出する付加情報抽出手段と、
該付加情報抽出手段により抽出したチャンネルの付加情報のうち少なくとも曲名が同じ曲を他のソースより検索する検索手段と、
該検索手段により同じ曲名の曲を検出したとき、前記記憶部に記憶してあるソース切替えの優先度に従ってソースの切替えを行うソース切替え手段と、
を備えたことを特徴とするオーディオ装置。
【請求項２】
前記記憶部に記憶したソース切替えの優先度はビットレートに基づくことを特徴とする請求項１記載のオーディオ装置。
【請求項３】
複数のソースを含むオーディオ装置において、
デジタル放送を受信する受信手段と、
該受信手段により受信し、聴取中のチャンネルに関する付加情報を抽出する付加情報抽出手段と、
該付加情報抽出手段により抽出したチャンネルの付加情報のうち少なくとも曲名が同じ曲を他のソースより検索し、所定のソースより同じ曲名の曲を検出したときには、該ソースの音質を判定する音質判定手段と、
該音質判定手段により判定した結果に基づきソースの切替えを行うソース切替え手段と、
を備えたことを特徴とするオーディオ装置。
【請求項４】
前記音質判定手段は所定ソースのビットレートにより音質の判定を行うことを特徴とする請求項３記載のオーディオ装置。
【発明の詳細な説明】
【０００１】
【発明の属する技術分野】
本発明はオーディオ装置に係り、特にデジタルラジオを受信し、曲を聴取している場合、他のソースからデジタルラジオより音質の良い同じ曲を検索し、音質の良い曲の再生に切替えるオーディオ装置に関する。
【０００２】
【従来の技術】
近年、従来のＣＤやＭＤだけではなくＭＰ３やデジタルラジオ等の様々な音質のデジタルソースを受信、再生可能なオーディオ装置が実用化されており、ユーザーは複数のソースから所望の曲を聴取するようになっている。又、ユーザーは気に入ったアーティストの曲が収録されたＣＤを購入してＭＤに録音したり、ＭＰ３に変換して記録したりして音楽を楽しむことが増えており、これに伴い、ユーザーが同じアーティストの同じ曲を各々のソースに記録して所持することも少なくない。
【０００３】
【発明が解決しようとする課題】
しかしながら、オーディオ装置は音質の違いによってソースを切替えることはしない。又、ユーザーがデジタルラジオで放送中の曲を聴取しているとき、自分の所持している他のソースに現在放送中の曲よりも音質の良い同じ曲が有った場合でも、操作が面倒なのでそのソースに切替えずにいた。
【０００４】
以上から、本発明の目的はデジタルラジオで放送中の曲を聴取しているとき、自分の所持している他のソースに現在放送中の曲よりも音質の良い同じ曲が有った場合、そのソースに切替えて同じ曲を再生するオーディオ装置を提供することである。
【０００５】
【課題を解決するための手段】
上記課題は、本発明によればソース切替えの優先度を例えばビットレート順に記憶しておき、デジタル放送を受信し、聴取中のチャンネルに関する付加情報を抽出して、抽出したチャンネルの付加情報のうち少なくとも曲名が同じ曲を他のソースより検索し、同じ曲名の曲を検出したとき、記憶してあるソース切替えの優先度に従ってソースの切替えを行うことにより達成される。
【０００６】
又、上記課題はデジタル放送を受信し、聴取中のチャンネルに関する付加情報を抽出し、少なくとも曲名が同じ曲を他のソースより検索し、所定のソースより同じ曲名の曲を検出したときには、該ソースの音質を、例えばビットレートにより判定し、その結果に基づきソースの切替えを行うことにより達成される。
【０００７】
【発明の実施の形態】
（Ａ）本発明第１の概略説明
図１は本発明の概略説明図であり、ユーザーが所望のソースとしてデジタルラジオで曲名Ａ、アーティスト名Ｚを聴取していたとき、本発明に係るオーディオ装置（図１（ａ））ではまずデジタルラジオ放送局からの放送を受信し、放送に含まれる付加情報を制御部２４が解析し曲名とアーティスト名を判別し、判別した曲名とアーティスト名が一致する曲をラジオ受信機１３、ＣＤプレーヤ１４、ＭＤプレーヤ１５、ＭＰ３プレーヤ１６、より検索し、一致する曲があったとき、例えばＣＤプレーヤ１４に放送中の曲と同じ曲名Ａ、アーティスト名Ｚの曲があったとき、メモリ２５に記憶してある（ｂ）に示すような音質によるソースの優先順位を基にソースの切替えを行う。
【０００８】
ここではＣＤプレーヤ１４の音質がデジタルラジオ受信機１１より高いということなのでＣＤの曲名Ａ、アーティスト名Ｚの曲の再生を開始する。
これにより、デジタルラジオ放送中の曲より良い音質の同じ曲を簡単に聴取することができる。
【０００９】
（Ｂ）本発明第２の概略説明
図１において、他のソースとして特にＭＰ３プレーヤ１６を対象とした場合の概略説明である。ユーザーが所望のソースとしてデジタルラジオで曲名Ａ、アーティスト名Ｚを聴取していたとき、本発明に係るオーディオ装置ではまずデジタルラジオ放送局からの放送を受信し、放送に含まれる付加情報を制御部２４が解析し曲名とアーティスト名を判別し、判別した曲名とアーティスト名が一致する曲をＭＰ３プレーヤ１６より検索し、一致する曲があったとき、例えばＭＰ３プレーヤに放送中の曲と同じ曲名Ａ、アーティスト名Ｚの曲があったとき、ＭＰ３のビットレートを判定し、デジタルラジオよりも高いビットレートだった場合にはデジタル放送からＭＰ３プレーヤ１６へソースの切替えを行い、曲名Ａ、アーティスト名Ｚの曲の再生を開始する。
これにより、デジタルラジオ放送中の曲より良い音質の同じ曲を簡単に聴取することができる。
【００１０】
（Ｃ）本発明の第１実施例
（ａ）本発明第１実施例のオーディオ装置の構成
図２は本発明第１実施例のオーディオ装置の構成図である。図中、１０はデジタルラジオ受信用のアンテナ、１１はデジタルラジオの放送信号を受信し、検波信号を出力するデジタルラジオ受信部、１２はラジオ受信用のアンテナ、例えばオートアンテナ、１３はラジオの放送信号を受信し、検波信号を出力するラジオ受信部、１４はＣＤに記録された音楽情報を読み出してＣＤ信号やＣＤ−ＴＥＸＴ方式で記録された文字情報を出力するＣＤプレーヤ、１５はＭＤに記録された音楽情報を読み出してＭＤ信号やＭＤのＵＴＯＣに記録された文字情報を出力するＭＤプレーヤ、１６はＣＤ−Ｒやハードディスク等の記録媒体にＭＰ３形式に圧縮された音楽信号をデコードし、デコードした音楽信号や文字情報が記録されているＩＤ３Ｔａｇ情報を出力するＭＰ３プレーヤである。
【００１１】
１８はデジタルラジオ受信部１１、ラジオ受信部１３、ＣＤプレーヤ１４、ＭＤプレーヤ１５、ＭＰ３プレーヤ１６からの各ソース信号の切換えを行なうソース切替部、１９はソース切替部１８からのソース信号を増幅するアンプ、２０はアンプ１９で増幅されたソース信号の音量を調節するためのボリュームコントローラ、２１はスピーカ、２２はユーザーがラジオのチャンネル選択やソース切替、ボリューム調節の操作を行なう操作部、２３は現在受信しているチャンネルの情報、再生している曲のトラック等を表示する表示部である。
【００１２】
２４は操作部２２からの指示を受けてソース切替部１６の制御や、デジタルラジオ受信部１１で受信しているチャンネルに関する付加情報から曲名やアーティスト名を検索する処理を行なうシステムコントローラ、２５はデジタルラジオ受信部１１、ラジオ受信部１３、ＣＤプレーヤ１４、ＭＤプレーヤ１５、ＭＰ３プレーヤ１６を制御するためのプログラムやソースの優先順位が記憶されているＲＯＭ、２６は現在受信している放送局のチャンネル番号や、現在再生しているＣＤのトラック番号や経過時間等の情報を記憶するＲＡＭ、２７はＲＯＭ２５からの記憶データ読み出し、ＲＡＭ２６への情報の書き込みや読み出しを制御するメモリコントローラである。
【００１３】
（ｂ）ＲＯＭの記憶内容
図３はＲＯＭ２５の記憶内容の説明図であり、ソース切替えの優先順位が記憶されている。例えば、この優先順位は各々のソースのビットレートに基づいて決定され、図に示すように優先順位が高い順からＣＤプレーヤ、ＭＤプレーヤ、ＭＰ３プレーヤ、デジタルラジオ受信機、ラジオ受信機の順になっている。
【００１４】
（ｃ）デジタル放送のデータ構成
図４は本発明第１実施例におけるデジタル放送のデータ構成の一例を示す図である。図に示すように、複数のチャンネルが１つのデジタル放送信号の中に多重化され、所定のフレーム単位で送信されている。１つのチャンネルは、音楽番組であれば音楽データと番組付加情報とからなり、番組付加情報には、番組名、アーティスト名、タイトル、曲のカテゴリー、曲の終了を通知するエンドビット、曲の経過時間を通知する経過時間等のデータが含まれている。
【００１５】
（ｄ）本発明第１実施例のフローチャート
図５は本発明第１実施例のフローチャートであり、現在聴取しているデジタル放送で放送中の曲と同じ曲がＣＤプレーヤ１４で再生可能名ＣＤにあった場合の例である。まず、現在聴取しているデジタル放送のチャンネルの付加情報をシステムコントローラ２４が取得する（ステップ１０１）。次に、現在聴取しているチャンネルから取得した付加情報の中から曲名とアーティスト名、例えば曲名Ａ、アーティスト名Ｚと同じ曲が他のソースにあるか検索をし（ステップ１０２）、同じ曲（曲名Ａ、アーティスト名Ｚ）がＣＤプレーヤ１４で再生可能なＣＤにあった場合、システムコントローラ２４はＲＯＭ２５に記憶されているソース切替えの優先順位を参照し、現在聴取しているデジタル放送より優先順位が高いか否かを判定する（ステップ１０３）。
【００１６】
ステップ１０３において優先順位が高いと判定した場合、システムコントローラ２４は現在聴取しているデジタル放送の曲の付加情報より曲の再生経過時間を抽出し（ステップ１０４）、ＣＤプレーヤ１４が再生する曲の再生経過時間を現在聴取しているデジタル放送の曲の再生経過時間に同期するようシステムコントローラ２４がＣＤプレーヤ１４にＣＤ上の曲の再生経過時間情報をサーチさせ同期させる（ステップ１０５）。次に、システムコントローラ２４はデジタル放送の曲の再生経過時間とＣＤプレーヤ１４の曲の再生経過時間とが一致し同期が取れたか否かを判定し（ステップ１０６）、同期が取れていない場合は再びデジタル放送の曲の再生経過時間に同期するようシステムコントローラ２４がＣＤプレーヤ１４にＣＤをサーチさせ同期させる。
【００１７】
一方同期が取れた場合、システムコントローラ２４は現在聴取しているデジタル放送の曲と同じ曲のソース、即ちＣＤプレーヤ１４にソース切替部１８を用いてソースの切替えを行う（ステップ１０７）。次にシステムコントローラ２４は現在聴取しているチャンネルから取得した付加情報のエンドビットから放送中の曲が終了したか否かを判定し、終了していなければ引き続きエンドビットを監視し、終了していればＣＤプレーヤ１４から元のソース、即ちデジタル放送に切替える（ステップ１０９）。
【００１８】
ステップ１０２において、他のソースに同じ曲（曲名Ａ、アーティスト名Ｚ）がなかった場合は現在聴取しているデジタル放送の聴取を維持する（ステップ１１０）。同様にステップ１０３において優先順位が低いと判定された場合、ステップ１１０の処理を行う。
【００１９】
（Ｄ）本発明第２の実施例
（ａ）本発明第２実施例のオーディオ装置の構成
図６は本発明第２実施例のオーディオ装置の構成図であり、本発明第１実施例のオーディオ装置の構成図（図１）からＣＤプレーヤ１４、ＭＤプレーヤ１５を削除し、ＭＰ３の音質をビットレートから判定する音質判定部２８を設けている。
【００２０】
（ｂ）ＭＰ３のデータ構成
図７は本発明第２実施例におけるＭＰ３のデータ構成の一例を示す図である。図７（ａ）に示すように、ＭＰ３では１曲が複数のフレームに分割されて記録媒体に記録されており、各フレーム毎に曲の音質情報の記録されたヘッダ、曲のデータ、曲の曲名やアーティスト名や曲の経過時間等の付加情報が記録されているＩＤ３Ｔａｇからなる。
【００２１】
ヘッダは、１２ビットの同期ヘッダ、ＭＰＥＧ１、ＭＰＥＧ２、ＭＰＥＧ２．5のどのバージョンかを示す１ビットのバージョン、レイヤ１、レイヤ２、レイヤ３のどのレイヤかを示す２ビットのレイヤ、エラー保護が有効か無効かを示す１ビットのエラー保護、曲のビットレートを示す４ビットのビットレート、曲のサンプリングレートを示す２ビットのサンプリングレート等の情報が記録されている。
【００２２】
図７（ｂ）はビットレート対応表であり、ＲＯＭ２５に記憶しておく。ヘッダに記録される４ビットのビットレートは図に示すようにＭＰＥＧのバージョンとそれぞれのＬａｙｅｒ、及びビットレートにより求められる。例えばＭＰＥＧ１のＬａｙｅｒ３でビットレートが１２８ｋｂｐｓの場合、ヘッダに記録される４ビットのビットレートは１００１となり、ＭＰＥＧ２のＬａｙｅｒ３でビットレートが１２８ｋｂｐｓの場合、ヘッダに記録される４ビットのビットレートは１１００となる。
【００２３】
（ｃ）本発明第２実施例のフローチャート
図８は本発明第２実施例のフローチャートであり、現在聴取しているデジタル放送で放送中の曲と同じ曲がＭＰ３プレーヤ１６にあった場合の例である。まず、現在聴取しているデジタル放送のチャンネルの付加情報をシステムコントローラ２４が取得する（ステップ２０１）。次に、現在聴取しているチャンネルから取得した付加情報の中の曲名とアーティスト名、例えば曲名Ａ、アーティスト名Ｚと同じ曲がＭＰ３プレーヤ１６で再生可能な記録媒体にあるかＩＤ３Ｔａｇを用いて検索をし（ステップ２０２）、同じ曲（曲名Ａ、アーティスト名Ｚ）があった場合、システムコントローラ２４はヘッダ情報とＲＯＭ２５に記憶されているビットレート対応表とから、ＭＰ３プレーヤ１６で再生可能な記録媒体に記録された同じ曲のビットレートを判別し（ステップ２０３）、その曲のビットレートがデジタル放送のビットレートである６４ｋｂｐｓより高いか否かを判定する（ステップ２０５）。
【００２４】
ステップ２０５においてビットレートが高いと判定した場合、システムコントローラ２４は現在聴取しているデジタル放送の曲の付加情報より曲の再生経過時間を抽出し（ステップ２０６）、ＭＰ３プレーヤ１６が再生する曲の再生経過時間を現在聴取しているデジタル放送の曲の再生経過時間に同期するようシステムコントローラ２４がＭＰ３プレーヤ１６に記録媒体上の曲の経過時間情報をサーチさせ同期させる（ステップ２０７）。次に、システムコントローラ２４はデジタル放送の曲の再生経過時間とＭＰ３プレーヤ１６の曲の再生経過時間とが一致し同期が取れたか否かを判定し（ステップ２０８）、同期が取れていない場合は再びデジタル放送の曲の再生経過時間に同期するようシステムコントローラ２４がＭＰ３プレーヤ１６に記録媒体をサーチさせ同期させる。
【００２５】
一方同期が取れた場合、システムコントローラ２４はＭＰ３プレーヤ１６にソース切替部１８を用いてソースの切替えを行う（ステップ２０９）。次にシステムコントローラ２４は現在聴取しているチャンネルから取得した付加情報のエンドビットから放送中の曲が終了したか否かを判定し、終了していなければ引き続きエンドビットを監視し、終了していればＭＰ３プレーヤ１６から元のソース、即ちデジタル放送に切替える（ステップ２１１）。
【００２６】
ステップ２０２において、ＭＰ３プレーヤ１６に同じ曲（曲名Ａ、アーティスト名Ｚ）がなかった場合は現在聴取しているデジタル放送の聴取を維持する（ステップ２１３）。同様にステップ２０５においてビットレートが低いと判定された場合、ステップ２１３の処理を行う。
【００２７】
（Ｅ）本発明の変形例
（ａ）本発明の変形例のオーディオ装置の構成
図９は本発明の変形例のオーディオ装置の構成図であり、本発明第１実施例のオーディオ装置の構成図（図１）にＭＰ３の音質をビットレートから判定する音質判定部２８を追加している。
【００２８】
（ｂ）ＲＯＭの記憶内容
本変形例ではＲＯＭ２５に第２実施例のビットレート対応表（図７（ｂ））が記憶されている。
【００２９】
（ｃ）本発明の変形例のフローチャート
図１０は本発明の変形例のフローチャートであり、現在聴取しているデジタル放送で放送中の曲と同じ曲が複数のソースにあった場合の例である。まず、現在聴取しているデジタル放送のチャンネルの付加情報をシステムコントローラ２４が取得する（ステップ３０１）。次に、現在聴取しているチャンネルから取得した付加情報の中から曲名とアーティスト名、例えば曲名Ａ、アーティスト名Ｚと同じ曲がＭＰ３プレーヤ１６にあるか検索をし（ステップ３０２）、同じ曲が例えばＣＤプレーヤ１４、ＭＤプレーヤ１５、ＭＰ３プレーヤ１６にあった場合、システムコントローラ２４はソース切替えの優先順位の高い順にステップ３０２で検索した曲を判定していく。
【００３０】
即ち、システムコントローラ２４はその曲がＣＤプレーヤ１４か否か（ステップ３０３）、ＭＤプレーヤ１５か否か（ステップ３０４）、ＭＰ３プレーヤ１６か否か（ステップ３０５）、の順に判定していき、ステップ３０２において検索した曲がＣＤプレーヤ１４にあればＭＤプレーヤ１５、ＭＰ３プレーヤ１６に記録されている同じ曲の有無に関わらず後述するステップ３０８の処理に移る。ステップ３０３において、ステップ３０２で検索した曲がＣＤプレーヤ１４にはなくＭＤプレーヤ１５にあればＭＰ３プレーヤ１６に記録されている同じ曲の有無に関わらず後述するステップ３０８の処理に移る。
【００３１】
ステップ３０４において、ステップ３０２で検索した曲がＣＤプレーヤ１４、ＭＤプレーヤ１５にはなくＭＰ３プレーヤ１６にあればその曲のビットレートをＲＯＭ２５に記憶されたビットレート対応表より判別し（ステップ３０６）、その曲のビットレートがデジタル放送のビットレートである６４ｋｂｐｓより高いか否かを判定する（ステップ３０７）。
【００３２】
次に、システムコントローラ２４は現在聴取しているデジタル放送の曲の付加情報より曲の再生経過時間を抽出し（ステップ３０８）、選択したソース、例えばＣＤプレーヤ１４の曲の再生経過時間を現在聴取しているデジタル放送の曲の再生経過時間に同期するようシステムコントローラ２４がＣＤプレーヤ１４にスキャンをさせ同期させる（ステップ３０９）。次に、システムコントローラ２４はデジタル放送の曲の再生経過時間とＣＤプレーヤ１４の曲の同期が取れたか否かを判定し（ステップ３１０）、同期が取れていない場合は再びデジタル放送の曲の再生経過時間に同期するようシステムコントローラ２４がＣＤプレーヤ１４にスキャンをさせ同期させる。
【００３３】
一方同期が取れた場合、システムコントローラ２４はＣＤプレーヤ１４にソース切替部１８を用いてソースの切替えを行う（ステップ３１１）。次にシステムコントローラ２４は現在聴取しているチャンネルから取得した付加情報のエンドビットから放送中の曲が終了したか否かを判定し（ステップ３１２）、終了していなければ引き続きエンドビットを監視し、終了していればＣＤプレーヤ１４から元のソース、即ちデジタル放送に切替える（ステップ３１３）。
【００３４】
ステップ３０５において、ＭＰ３プレーヤ１６に同じ曲（曲名Ａ、アーティスト名Ｚ）がなかった場合は現在聴取しているデジタル放送の聴取を維持する（ステップ３１４）。同様にステップ３０７においてビットレートが低いと判定された場合、ステップ２１３の処理を行う。
【００３５】
【発明の効果】
以上、本発明によれば、ユーザーが所望のソースとしてデジタルラジオで曲を聴取していたとき、まずデジタルラジオ放送局からの放送を受信し、放送に含まれる付加情報を解析し曲名とアーティスト名を判別し、判別した曲名とアーティスト名が一致する曲を他のソースより検索し、一致する曲があったとき、例えばＭＰ３プレーヤに放送中の曲と同じ曲名、アーティストの曲があったとき、メモリに記憶してある音質によるソースの優先順位を基にソースの切替えを行うので自分の所持している他のソースに現在放送中の曲よりも音質の良い同じ曲が合った場合、そのソースに切替えて同じ曲を再生するオーディオ装置を提供することができる。
【００３６】
又、本発明によれば、ユーザーが所望のソースとしてデジタルラジオで曲を聴取していたとき、まずデジタルラジオ放送局からの放送を受信し、放送に含まれる付加情報を解析し曲名とアーティスト名を判別し、判別した曲名とアーティスト名が一致する曲をＭＰ３プレーヤより検索し、一致する曲があったとき、ＭＰ３のビットレートを判定し、デジタルラジオよりも高いビットレートだった場合にはデジタル放送からＭＰ３プレーヤへソースの切替えを行い、曲の再生を開始するので自分の所持している他のソースに現在放送中の曲よりも音質の良い同じ曲が合った場合、そのソースに切替えて同じ曲を再生するオーディオ装置を提供することができる。
【図面の簡単な説明】
【図１】本発明の概略説明図である。
【図２】本発明第１実施例のオーディオ装置の構成図である。
【図３】ＲＯＭ２５の記憶内容の説明図である。
【図４】本発明第１実施例のデジタル放送のデータ構成の一例を示す図である。
【図５】本発明第１の実施例のフローチャートである。
【図６】本発明第２実施例のオーディオ装置の構成図である。
【図７】本発明第２実施例のＭＰ３のデータ構成の一例を示す図である。
【図８】本発明第２の実施例のフローチャートである。
【図９】本発明の変形例のオーディオ装置の構成図である。
【図１０】本発明の変形例のフローチャートである。
【図１】
0004093739.tif 000002
【図２】
0004093739.tif 000003
【図３】
0004093739.tif 000004
【図４】
0004093739.tif 000005
【図５】
0004093739.tif 000006
【図６】
0004093739.tif 000007
【図７】
0004093739.tif 000008
【図８】
0004093739.tif 000009
【図９】
0004093739.tif 000010
【図１０】
0004093739.tif 000011